【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
通信ネットワークの基地局（ノードＢ）とユーザの装置（ＵＥ）の間に設定されたＨＳ−ＤＳＣＨダウンリンクトランスポートチャネルでの、デジタルデータブロックの送信を管理する装置（Ｄ）において、前記デジタルデータは「組織化された」タイプおよび／または「パリティ１またはパリティ２」タイプであり、前記装置（Ｄ）は、冗長パラメータＸＲＶの値に応じて選択されたデジタルデータの第１の組を含むブロックを前記ユーザの装置（ＵＥ）に送信するために、冗長パラメータＸＲＶの値を選択し、前記ユーザの装置（ＵＥ）によるブロックの不正確な受信の場合に、前記冗長パラメータの他の値に応じて選択されたデジタルデータの別の組を含む少なくとも１つの他のブロックを前記ユーザの装置（ＵＥ）に送信するために、前記冗長パラメータの少なくとも１つの他の値を選択するように構成された処理手段（ＭＴ）を含み、前記処理手段（ＭＴ）が、所与のブロックを前記チャネルで送信する必要がある度に、第１のブロックの送信のために使用される冗長パラメータＸＲＶの値が組織化されたビットの送信に優先権を与えるように選択される、選択されたシーケンスに従い、冗長パラメータＸＲＶの連続値を選択するようにさらに構成されることを特徴とする装置。
【請求項２】
前記処理手段（ＭＴ）が、パリティ１またはパリティ２ビットの送信と組織化されたビットの送信に交互に優先権を与えるように、第１の送信の後に各ブロックの送信のために使用される冗長パラメータＸＲＶの値が選択される、選択されたシーケンスに従い、冗長パラメータＸＲＶの前記連続値を選択するように構成されることを特徴とする請求項１に記載の装置。
【請求項３】
前記処理手段（ＭＴ）が、各送信でマッチングするビット／記号を交替させるように冗長パラメータＸＲＶの各値が選択される、選択されたシーケンスに従い、冗長パラメータＸＲＶの前記連続値を選択するように構成されることを特徴とする請求項１に記載の装置。
【請求項４】
前記冗長パラメータＸＲＶが少なくとも第１の変数ｓと第２の変数ｒにより定義され、前記処理手段（ＭＴ）は、第１の変数（ｓ）が０と１から選択される２つの値を取ることができ、第２の変数（ｒ）は０、１、２および３から選択される少なくとも２つの値を取ることができるＱＰＳＫ変調を使用する送信の場合に、各シーケンスが前記第１の送信に対応する前記第１の値が偶数である冗長パラメータＸＲＶの一連の値を構成するように、各シーケンスを選択するように構成されることを特徴とする請求項１に記載の装置。
【請求項５】
前記冗長パラメータＸＲＶが少なくとも第１の変数ｓと第２の変数ｒにより定義され、前記処理手段（ＭＴ）は、第１の変数（ｓ）が０と１から選択される２つの値を取ることができ、第２の変数（ｒ）は０、１、２および３から選択される少なくとも２つの値を取ることができるＱＰＳＫ変調を使用する送信の場合に、各シーケンスが前記第１の送信に対応する前記第１の値が偶数である冗長パラメータＸＲＶの一連の値を構成するように、各シーケンスを選択するように構成され、前記処理手段（ＭＴ）は、各シーケンスが冗長パラメータＸＲＶの交替する一連の偶数値と奇数値とを構成するように、各シーケンスを選択するように構成され、前記第１の送信に対応する前記第１の値は偶数である、ことを特徴とする請求項３に記載の装置。
【請求項６】
前記冗長パラメータＸＲＶが、式ＸＲＶ＝２ｒ＋１−ｓによって定義されることを特徴とする請求項４に記載の装置。
【請求項７】
前記処理手段（ＭＴ）は、各シーケンスが交替する一連の、１に等しい第１の変数（ｓ）に対応する冗長パラメータＸＲＶの偶数値と、０に等しい第１の変数（ｓ）に対応する冗長パラメータＸＲＶの奇数値を構成するように、各シーケンスを選択するように構成されることを特徴とする請求項４に記載の装置。
【請求項８】
前記処理手段（ＭＴ）が、第２の変数（ｒ）の値がＸＲＶの各値と共に変わる、冗長パラメータ（ＸＲＶ）の一連の値を構成するように、各シーケンスを選択するように構成されることを特徴とする請求項４に記載の装置。
【請求項９】
前記処理手段（ＭＴ）が、第２の変数（ｒ）の値がＸＲＶの各２つの値と共に変わる、冗長パラメータＸＲＶの一連の値を構成するように、各シーケンスを選択するように構成されることを特徴とする請求項４に記載の装置。
【請求項１０】
前記処理手段（ＭＴ）が、各シーケンスを、一連の｛０，１，２，３，４，５，６，７｝、｛０，１，２，３｝および｛２，１，０，３，４｝の少なくとも一部から選択された、冗長パラメータＸＲＶの一連の値の形式で構成するように構成され、前記値、０、１、２、３、４、５、６および７はそれぞれに、（１，０）、（０，０）、（１，１）、（０，１）、（１，２）、（０，２）、（１，３）および（０，３）のように、第１と第２の変数の一対の値（ｓ，ｒ）に対応することを特徴とする請求項４に記載の装置。
【請求項１１】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するよう構成された、１６ＱＡＭ変調を使用する送信の場合に、前記処理手段（ＭＴ）は、各シーケンスが少なくとも最初の２つの送信中に、第２の変数（ｒ）の値がＸＲＶの各値と共に変わる、冗長パラメータＸＲＶの一連の値を構成するように、各シーケンスを選択するように構成されることを特徴とする請求項１に記載の装置。
【請求項１２】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが少なくとも最初の４つの送信中に、第２の変数（ｒ）の値がＸＲＶの各２つの値と共に変わる、冗長パラメータＸＲＶの一連の値を構成するように、各シーケンスを選択するように構成されることを特徴とする請求項１に記載の装置。
【請求項１３】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが少なくとも最初の２つの送信中に、第３の変数の値がＸＲＶの各値と共に変わる、冗長パラメータＸＲＶの一連の値を構成するように、各シーケンスを選択するように構成されることを特徴とする請求項１に記載の装置。
【請求項１４】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが第３の変数の値がＸＲＶの各２つの値と共に変わる、冗長パラメータＸＲＶの一連の値を構成するように、各シーケンスを選択するように構成されることを特徴とする請求項１に記載の装置。
【請求項１５】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが前記第１の変数（ｓ）が１に等しいか、または０に等しい、冗長パラメータＸＲＶの一連の交替する値を構成するように、各シーケンスを選択するように構成されることを特徴とする請求項１に記載の装置。
【請求項１６】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが第２の変数（ｒ）と第３の変数の値がＸＲＶの各値について同時に変わる、冗長パラメータＸＲＶの一連の値を構成するように、各シーケンスを選択するように構成されることを特徴とする請求項１に記載の装置。
【請求項１７】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）は、各シーケンスが第２の変数（ｒ）と第３の変数の値がＸＲＶの１つの値から別の値に交互に変わる、冗長パラメータＸＲＶの一連の値を構成するように、各シーケンスを選択するように構成されることを特徴とする請求項１に記載の装置。
【請求項１８】
前記冗長パラメータＸＲＶが第１の変数（ｓ）、第２の変数（ｒ）および第３の変数により定義され、第１の変数（ｓ）は０と１から選択される２つの値を取ることができ、第２の変数（ｒ）は０と１から選択される少なくとも２つの値を取ることができ、第３の変数はビット／記号のマッチングを定義するように構成された、１６ＱＡＭ変調を使用する送信の場合に、前記処理手段（ＭＴ）が、一連の｛０，３，５，１，２｝、｛０，３，５，１，４｝｛０，３，５，１，６｝、｛０，３，５，１，７｝、｛０，３，６，１，２｝、｛０，３，６，１，４｝、｛０，３，６，１，５｝、｛０，３，６，１，７｝、｛６，３，７，１，０｝、｛６，３，７，１，２｝、｛６，３，７，１，４｝および｛６，３，７，１，５｝の少なくとも一部から選択された、冗長パラメータＸＲＶの一連の値の形式で各シーケンスを構成するように構成され、前記値、０、１、２、３、４、５、６および７は、（１，０，０）、（０，０，０）、（１，１，１）、（０，１，１）、（１，０，１）、（１，０，２）、（１，０，３）および（１，１，０）のように、第１、第２および第３の変数の３つ組みの値にそれぞれ対応することを特徴とする請求項１に記載の装置。
【請求項１９】
前記処理手段（ＭＴ）は、前記選択されたシーケンスを循環的に使用するように構成されることを特徴とする請求項１に記載の装置。
【請求項２０】
請求項１に記載の少なくとも１つの管理装置（Ｄ）を含むことを特徴とする移動通信ネットワークのための基地局（ノードＢ）。
【請求項２１】
前記ネットワークの基地局（ノードＢ）に冗長パラメータＸＲＶの複数の一連の値を供給するように構成された、請求項１に記載の１つの管理装置（Ｄ）を含むことを特徴とする移動通信ネットワーク用の無線ネットワークコントローラ。
【請求項２２】
通信ネットワークとユーザの装置（ＵＥ）の間に設定されたＨＳ−ＤＳＣＨダウンリンクトランスポートチャネルで、デジタルデータブロックの送信を管理する方法において、デジタルデータは「組織化された」タイプおよび／または「パリティ１またはパリティ２」タイプであってよく、前記方法は、冗長パラメータＸＲＶの値に応じて選択されたデジタルデータの第１の組を含むブロックの前記ユーザの装置（ＵＥ）による不正確な受信の場合に、前記冗長パラメータの他の値に応じて選択されたデジタルデータの別の組を含む少なくとも１つの他のブロックをユーザの装置（ＵＥ）に送信する際に、送信されるべき所与のブロックに対して、各第１のブロックの送信のために使用される冗長パラメータＸＲＶの値が組織化されたビットの優先権送信に対応する、選択されたシーケンスに従い、冗長パラメータＸＲＶの連続値が使用されることを特徴とする方法。
【請求項２３】
第１の送信の後に各ブロックの送信のために使用される冗長パラメータＸＲＶの値が、交替するパリティ１またはパリティ２ビットの優先の送信と組織化されたビットの優先の送信に対応する、選択されたシーケンスに従い、冗長パラメータＸＲＶの前記連続値が選択されることを特徴とする請求項２２に記載の方法。